(57)【要約】【課題】従来の指圧器具は大きい重い、別々の器具が必要などの欠点を使いやすいように、本発明は超小型、軽い、旅行の友にもできる。これ一つで骨盤底から全身（頭〜足）まで施術不可は眼球のみ、自分で出来る。自分で治せる、それにより超大きな無駄な治療院などに通う時間、交通費、治療時間、治療費も超削減ができ、生活にゆとりが生まれ、お金が貯まる。心と体の健康プラス時間とお金が貯まる指圧器具を提供する。又、本発明の方法は、他の場所に利用ができる．【解決手段】現代医学、東洋医学を基に、体の大小、身長の長短に関係なくできる指圧器具を作り、刺激に慣れがおきないのを特徴とする。【選択図】図１
2017192683.tif 000002
【特許請求の範囲】
【請求項１】
長方形の台形（１）と、台形の上に設けられた左右の外側両方突起部分（２  ）、突起を１列、２列、３列並べ、器具の左右の真ん中、正中線上、１列と２列の間に１個突起を設る。２列と３列の間中心部の１個の突起を備え、３列側には器具左右の真ん中中心線上、尾骨側の端には小突起は設けず、組み合せ配列からなる骨盤底から全身までできる指圧器具。
【請求項２】
マサージ器具、マツト、又はパッドのいずれか一つに用いられる、請求項１に記載の指圧器具。
【発明の詳細な説明】
【技術分野】
【０００１】  この発明は人体解剖学、生理学、病理学、東洋医学の経穴学より学び創作した。骨盤底が出来る指圧器具に関するものである。
【背景技術】
【０００２】  従来、骨盤底と全身が出来る指圧器具は別々になつている。
【先行技術文献】
【特許文献】
【０００３】
【特許文献１】  特開２０１１−１０１６９０
【発明の概要】
【発明が解決しようとする課題】
【０００４】  これは次のような欠点がある。従来、全身の各部位別の器具あるが、
別々の器具を購入すると非常に高価になる。【０００５】  骨盤底は生きる上で大変重要な場所でありながら，体の中では一番無視手入れの行き届いていない場所である。骨盤は、大黒柱の土台の役目と同時に内臓，泌尿器、生殖器、神経、大血管などを保護している。骨盤底の部分に泌尿器や生殖器があり、その部分の上に重い内臓がのる。さらに暴飲暴食生活のみだれなどが加わり過酷な環境におかれている。骨盤内の血液循環を改善することにより自然治癒力の働きがよくなる。しかも自分自身でいつでもどこでも出来る骨盤底の指圧器具をどう発明するか、
【課題を解決するための手段】
【０００６】ビートたけしさんのスーパー・ジョッキー番組、下北沢の広田赤ひげ整体に挑戦で三角形・四角形・長方形・短い爪楊枝・５円玉の指圧突起を（特開股間部木馬健康器具）骨盤底用に作る。試してみると凄く痛い・ダメ、バスタオルを厚くしてみると骨盤底の血の巡りが良くなつた。骨盤底スッキリ、頭もスッキリ爽やか・びつくり。研究をするチヤンス  価値あり。【０００７】解剖学、生理学、病理学、婦人（男性）科学、東洋医学をもう一度学び研究に研究、指圧の形状、組合せ、配列の新しい発想、自由度、刺激方法の改良を加えることで、上品なデザインの骨盤底から全身まで出来る事が頭に浮かんできた。
本発明は以上の構成よりなる。これ一つで体の大小、身長の長短に関係なく骨盤底から全身が出来る指圧器具。
【発明の効果】
【０００８】  骨盤底から全身まで出来る指圧器具は
現代医学、東洋医学を基に以下のような  新しい「発明効果」が２つ生まれました。【０００９】［発明の効果１］
超小型化、軽い、施術禁止部位は眼球のみ、これ一つで全身が自分自身で出来る指圧器具。【００１０】「効果が認められる症状及び病気」頭、顔、首、肩、背中、腰，尻などのこりと痛みと疲れ。不良姿勢、猫背、慢性の腰痛、慢性の疲労、神経痛、呼吸器疾患、長時間同じ姿勢で仕事、精神的疲労，下肢の疲れ、むくみ、冷え性、自律神経失調症、胃腸、便秘、下痢など【００１１】高血圧，糖尿病、運動不足、生活の乱れ、生活習慣病、休み休み歩行，下肢の血流改善、美脚、細くなる足、疲れむくみ、膝関節痛、不眠、更年期障害、美顔などに有効．【００１２】「骨盤底刺激効果」イライラする、婦人病、軽い尿もれ、さわやか骨盤底、頭すつきり、骨盤底の血の巡りが良くなる、ホルモンバランスの改善，ぢ，前立せん肥大「尿の改善」理想馬のしょんべん、男女性機能の向上、肛門の健康（痔・もれ）などに有効。【００１３】高齢者激増時代、死ぬまで元気、いきいきと生きる。年よりくさくない年寄り。
悪い姿勢の改善と予防。脊柱管きょうさく症、休み休み歩行の改善。発明人自身腰痛下肢の痛みと痺れ《低い椅子に座ると腰が痛い腰が伸びなく、ガニ股歩き、自分の発明器具で治る。
本発明はこり，疲れなどの専用指圧器具ではない。これからの高齢者激増時代、自分自身で色々な辛い所を楽にするよくする。生きる希望がわく、まつたく新しい考えの元で生まれた。心のヒダの一つ一つ、細胞の一つ一つに効く指圧健康器具である。【００１４】「発明の効果２」
生活にゆとりが生まれます。  お金が貯まります。
その理由、
治療院，整体、整骨院などに通う時間、交通費、治療費、治療時間などが不要になります。発明人は一切不要を経験ずみです。これ一つあれば自分自身でやりますとドンドン色々な辛い症状が改善良くなります。自信が付いてきます。【００１５】医療の原点は  手  を  あ  て  る  手当てです。
そこには愛があり、乱暴な使い方強い強い刺激などをしなければ安心安全です．
定期的・時々に病医院で診察を受けることも大切です。
【発明を実旋するための形態】
【００１６】以下、本発明を実旋形態について図１、２、３に基づき説明をする。
実旋方法は、指圧器具の上に体のやりたい部分を押し圧する。又は片手、両手で器具を持ち突起で（こする・叩く）、体を移動するようにすれば超小型で全身ができる。
器具は長方形の台形（１）の長さは恥骨（前側）３Ａと尾骨（後側）４Ａの安全を考えた。長さ幅とも骨盤底筋を刺激できるようにした。台形の上の突起（２）は、左（５Ｂ）、右（６Ｂ）外側両方１列、２列、３列を組合せ。器具の左右の真ん中中心線上、１列と２列の間に１個突起（大きさ３ミリから５ミリ小さく、高さ３ミリから５ミリ低くした）を設けた理由は、生殖器・泌尿器・尿もれなどの骨盤底筋刺激に用いる。２列と３列との間、真ん中中心部の１個の突起は前側の臓器と後側の臓器に効果が有る。中心部の１個の突起（同じく小さく低くした）と３列との組み合わせは、生殖器、肛門括約筋（痔・    もれ）を強化に設けた。（真ん中中心線上の尾骨側端の突起は尾骨の安全を考えて設けていない）。骨盤底全体を１回で施術が出来る。全身の施術方法は指圧器具前側部分、指圧器具後側部分のどちらかでも出来る指圧器具。又は前側と後側を同時に使用すれば早く短時間で全身ができる。場所場所で使い分ける。
これ一つで体の大小、身長の長短に関係なく骨盤底から全身まで出来る指圧器具。
【００１７】骨盤底を実旋する場会は、例えば雑誌など２０〜３０センチ程度の高さの上に指圧器具を乗せ、そこに骨盤底を当て刺激をする。椅子のうえに指圧器具をのせ骨盤底を押し圧する方法。
材質は、木、竹、プラスチィク、紙、ゴム、金、銀、銅、プラチナなど。
本発明は以上のような構造、方法である。
【その他の応用例】
【００１８】顔、腰、尻、モモ、ふくらはぎ、足全体を，指圧器具を片手又は両手に持ち、こする・たたく刺激をしてください。血行促進。こする・叩く部分の栄養酸素、老廃物神経の働きの改善。美尻、下肢の疲れ、美脚、足の疲れ、むくみ、美顔などに有効。
【００１９】病医院の治療にプラス本発明指圧器具の併用がよりよい医療になります。ＷＨＯの勧告では、現代医療「のなかに伝統的療法を取り入れなさい」と勧告されており、欧米では有名大学医学部では大変進んでおり、日本は後進国と言われている。
【００２０】本発明の方法はマサージ器具、指圧マツト、骨盤底刺激パッドなど多くの人々の健康に寄与できる。
【図面の簡単な説明】
【００２１】
【図１】  左側面図
【図２】  正面図
【図３】  平面図
【符号の説明】
【００２２】  １  指圧の台形部分
２  台形の上の突起部分
３Ａ  台形の恥骨（前側）
４Ａ  台形の尾骨（後側）
５Ｂ  台形の左側
６Ｂ  台形の右側
【図１】
2017192683.tif 000003
【図２】
2017192683.tif 000004
【図３】
2017192683.tif 000005
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
土台と突起でなりたっている骨盤底から全身までできる指圧器であって、土台（１）は、骨盤底筋に対応する長さ幅を有し、土台の上に設けられた左右の外側両方突起部分（２）からなる突起列を、１列有する突起群と、２列有する突起群と、３列有する突起群を備えて、器具の左右の真ん中、正中線上に設けられた１列群と２列群の間１個の突起、２列群と３列群の間１個の突起は、突起列を構成する突起よりも小さい突起である指圧器。
【請求項２】
マッサージ器具、マット、又はパッドのいずれか一つに用いられる、請求項１に記載の指圧器。
【手続補正２】
【補正対象書類名】明細書
【補正対象項目名】００１６
【補正方法】変更
【補正の内容】
【００１６】  以下、本発明を実旋形態について図１，２，３に基ずき説明をする。
実旋方法は、指圧器具の上に体のやりたい部分を押し圧する。又は片手、両手で器具を持ち突起で（こする・叩く）、体を移動するようにすれば超小型で全身ができる。
土台（１）は骨盤底筋に対応する長さは恥骨（前側）３Ａと尾骨（後側）４Ａ。位置関係に対応する長さ、幅を有している。特定の高さとは土台と突起の高さを足した高さ（図参照）。配列からなる突起を有する点に特徴とする骨盤底筋を刺激できるようにした。土台の上の突起（２）は、左（５Ｂ）、右（６Ｂ）外側両方部分からなる突起列を、１列有する突起群と、２列有する突起群と、３列有する突起群を備え組み合わせる。器具の左右の真ん中中心線上に設けた小突起は、突起列を構成する突起よりも高さ５ミリ低く、丸径３ミリから５ミリ小さくした。
１列群と２列群の間に１個小突起を設けた理由は、生殖器・泌尿器・尿もれなどの骨盤底筋刺激に用いる。    ２列群と３列群との間、真ん中中心部の１個の小突起は前側と後側の臓器に効果が有る。中心部の１個の小突起と３列群との組み合わせは生殖器、肛門括約筋（痔・もれ）を強化に設けた。３列群の真ん中中心線上、尾骨側端の小突起は尾骨の安全を考えて設けていない。骨盤底全体を１回で施術が出来る。全身の施術方法は指圧器の前側部分、後測部分のどちらかでも出来る指圧器。又は前側と後側を同時に使用すれば早く短時間で全身が出来る。場所場所で使い分ける。これ一つで体の大小、身長の長短に関係なく骨盤底から全身まで出来る指圧器。
【手続補正３】
【補正対象書類名】明細書
【補正対象項目名】００２０
【補正方法】変更
【補正の内容】
【００２０】本発明の方法はマッサージ器具、指圧マット、骨盤底刺激パットなど多くの人の健康に寄与できる。
【手続補正４】
【補正対象書類名】明細書
【補正対象項目名】００２２
【補正方法】変更
【補正の内容】
【００２２】１  指圧の土台部分
２  土台の上の突起部分
３Ａ  土台の恥骨（前側）
４Ａ  土台の尾骨（後側）
５Ｂ  土台の左側
６Ｂ  土台の右側